(57)【要約】【課題】コストをかけず、かつ必要な光量が得られる海藻用育成場を提供することである。【解決手段】海藻用育成場Ａは、防波堤ａの港外側面に設置されたケーソン１の遊水室３における水面近傍に仕切板７を設けて海藻造成浅場８を形成してなることである。【選択図】図１
2005105567.tif 000002
【特許請求の範囲】
【請求項１】
防波堤の港外側面に設置されたケーソンの遊水室における水面近傍に仕切板を設けて海藻造成浅場を形成してなることを特徴とする海藻用育成場。
【請求項２】
仕切板は防波堤側に向かって上側に傾斜したことを特徴とする請求項１に記載の海藻用育成場。
【請求項３】
仕切板は段差状であることを特徴とする請求項１または２に記載の海藻用育成場。
【請求項４】
仕切板には通水孔、突起、溝のいずれかが形成されたことを特徴とする請求項１〜３のいずれかに記載の海藻用育成場。
【発明の詳細な説明】
【技術分野】
【０００１】
本発明は海藻用育成場に関するものである。
【背景技術】
【０００２】
近年、環境意識の高まりとともに、防波堤や護岸などの港湾・漁港・海岸構造物において、構造物本来の機能だけではなく藻場造成が可能な空間が意図的に提供され、ここでアラメ、カジメ、ホンダワラなどの有用海藻類が造成されている。このような海藻用育成場として、図８に示すように、直立混成堤１６の前面に人工リーフ１７を設置したものと、傾斜基盤を有する構造物１８に小段１９を設けたものと、遊水室２０を備えた直立スリットケーソン２１とがある。またこの他にも例えば、特許第２９７１００７号公報の発明がある。
【特許文献１】特許第２９７１００７号公報
【発明の開示】
【発明が解決しようとする課題】
【０００３】
しかし、上記のような人工リーフや傾斜堤などは、多くの捨て石や根固・波消ブロックを必要とするためコストがかかる。一方、直立スリットケーソンの遊水室内部は、透過壁や堤体に囲まれているため、底面まで光が届きにくく必要な光量が不足するという問題があった。
【０００４】
本発明は上記のような問題に鑑みてなされたものであり、その目的は、コストをかけず、かつ必要な光量が得られる海藻用育成場を提供することである。
【課題を解決するための手段】
【０００５】
本発明の海藻用育成場は、防波堤の港外側面に設置されたケーソンの遊水室における水面近傍に仕切板を設けて海藻造成浅場を形成してなることを特徴とする。また仕切板は防波堤側に向かって上側に傾斜したことを含む。また仕切板は段差状であることを含む。また仕切板には通水孔、突起、溝のいずれかが形成されたことを含むものである。
【発明の効果】
【０００６】
遊水室に設けた仕切板が必要な光量を得られる海藻造成浅場になるため、有用海藻類の造成が可能となる。また傾斜状または段差状の仕切板により、水深に応じた海藻を繁殖させることができる。また仕切板の突起や溝は海藻類の定着を促進させる。また仕切板の通水孔により消波性能も向上する。仕切板の下側の遊水室は魚礁としての機能を発揮する。
【発明を実施するための最良の形態】
【０００７】
図１は海藻用育成場Ａの斜視図であり、この海藻用育成場Ａは、防波堤ａの港外側面に連続的に設置されたケーソン１の遊水室３における水面近傍に海藻造成浅場８が形成されて構成されている。
【０００８】
海藻用育成場Ａを形成するケーソン１は、図２に示すように、鉄筋コンクリート製の堤体２の前面側、すなわち港外側面に遊水室３が形成されて構成されている。この遊水室３は堤体２前面に突出した底部４と、この底部先端に立設した透過壁５とによりほぼ断面Ｕ字状に形成され、この透過壁５に形成されたスリット６により消波機能を有している。
【０００９】
また、遊水室３の上下方向の中央部、すなわち水面近傍には上下を仕切る仕切板７が水平に設けられ、この仕切板７が必要な光量を得られる有用海藻類の造成床となって海藻造成浅場８を形成する。また仕切板７には縦方向の通水孔９が形成され、この通水孔９が消波機能を発揮するとともに、遊水室３下側への魚の通り道になって、遊水室３の下側が魚礁空間になる。
【００１０】
また上記の仕切板７は、防波堤ａの港外側面に設置された既存のケーソン１の遊水室３に後から設置することもできるし、新たに製造するケーソン１に最初から設置することもできる。
【００１１】
また図３は他の実施の形態のケーソン１０である。このケーソン１０は仕切板７が堤体２側に向かって上側に傾斜したものであり、これ以外は図２のケーソン１と同じ構成である。このように仕切板７を傾斜させると海藻類が繁殖するのに十分な光量を得ることができる。
【００１２】
また図４も他の実施の形態のケーソン１１である。このケーソン１１は段差状の仕切板１２を設けたものであり、これ以外は図２のケーソン１と同じ構成である。このように段差状の仕切板１２を設けると水深に応じた海藻類を繁殖させることができる。また、この仕切板１２も上記のように傾斜させることができる。
【００１３】
また図５は仕切板７の通水孔９の他の実施の形態であり、（１）は通水孔９を横方向に設けたものであり、（２）および（３）は平面円形または角形の通水孔９を設けたものである。また図６は通水孔９に代わって突起１３および溝１４を設けたものであり、（２）および（４）に示すような、帯状や点状の突起１３や、（１）および（３）に示すような、帯状や点状の溝１４を設けることができ、これらの突起１３や溝１４によって海藻類が着床しやすくなる。
【００１４】
また図７は、仕切板７を設けたケーソンと、仕切板７を設けないケーソンとの消波特性を比較したものであり、仕切板７を設けたケーソンの方が消波機能を発揮することを確認することができた。
【図面の簡単な説明】
【００１５】
【図１】海藻用育成場の斜視図である。
【図２】（１）はケーソンの断面図、（２）は同平面図、（３）は同正面図である。
【図３】他の実施の形態のケーソンの断面図である。
【図４】他の実施の形態のケーソンの断面図である。
【図５】他の実施の形態の仕切板であり、（１）は横方向にスリットを設けたものであり、（２）および（３）は角形および円形の孔を設けたものである。
【図６】他の実施の形態の仕切板であり、（１）は横方向に長尺の溝を設けたものであり、（２）は横方向に長尺の突起を設けたものであり、（３）は平面角形の溝を設けたものであり、（４）は平面角形の突起を設けたものである。
【図７】仕切板を設けたケーソンと、仕切板を設けないケーソンとの消波特性を比較した図である。
【図８】（１）〜（３）は従来の藻場造成が可能な防波堤や護岸などの港湾・漁港・海岸構造物である。
【符号の説明】
【００１６】
Ａ  海藻用育成場
ａ  防波堤
１、１０、１１、２１  ケーソン
２  堤体
３、２０  遊水室
４  底部
５  透過壁
６  スリット
７、１２  仕切板
８  海藻造成浅場
９  通水孔
１３  突起
１４  溝
１６  直立混成堤
１７  人工リーフ
１８  傾斜基盤を有する構造物
１９  小段
【図１】
2005105567.tif 000003
【図２】
2005105567.tif 000004
【図３】
2005105567.tif 000005
【図４】
2005105567.tif 000006
【図５】
2005105567.tif 000007
【図６】
2005105567.tif 000008
【図７】
2005105567.tif 000009
【図８】
2005105567.tif 000010